(57)【要約】【課題】不使用時にコンパクトに積み重ねることができ、使用時に物品を収納した状態では、特別の仕切り板を必要とせずに、物品を荷重から保護しながら安定した段積みを可能にするトレーを提供する。【解決手段】合成樹脂の薄板を断面凹凸形状に一体成形したトレーＴは物品ＷＬを収納する物品収納凹部１３Ｌを備えており、物品ＷＬを収納しない不使用時にはトレーＴを同一姿勢で相互に嵌合させることで、上下方向高さがコンパクトになるように段積みすることができる。物品収納凹部１３Ｌに物品ＷＬを収納した使用時には、下段のトレーＴの上壁１１に上段のトレーＴの支持段部１４，１６が支持されるように交互に１８０°反転させることで、下段のトレーＴに収納された物品ＷＬに上段のトレーＴの荷重が加わらない状態で安定した段積みが可能になる。【選択図】      図５
2004168385.tif 000002
【特許請求の範囲】
【請求項１】
合成樹脂の薄板を断面凹凸形状に一体成形したトレー（Ｔ）が、物品（ＷＬ，ＷＲ）を収納する物品収納凹部（１３Ｌ，１３Ｒ）と、物品収納凹部（１３Ｌ，１３Ｒ）が開口する上壁（１１）と、少なくとも一部が物品収納凹部（１３Ｌ，１３Ｒ）の底面を構成する下壁（１２）と、下壁（１２）よりも一段高く形成された支持段部（１４，１６，１７）とを備えた物品収納用トレーであって、
物品収納凹部（１３Ｌ，１３Ｒ）に物品（ＷＬ，ＷＲ）を収納しない状態で複数のトレー（Ｔ）を同一姿勢で積み重ねると、上段のトレー（Ｔ）の物品収納凹部（１３Ｌ，１３Ｒ）が下段のトレー（Ｔ）の物品収納凹部（１３Ｌ，１３Ｒ）に嵌合して複数のトレー（Ｔ）をコンパクトに段積み可能であり、
物品収納凹部（１３Ｌ，１３Ｒ）に物品（ＷＬ，ＷＲ）を収納した状態で複数のトレー（Ｔ）を上下軸（Ｌ３）まわりに交互に所定角度ずつ回転した姿勢で積み重ねると、上段のトレー（Ｔ）の支持段部（１４，１６，１７）が下段のトレー（Ｔ）の上壁（１１）に支持されて、物品収納凹部（１３Ｌ，１３Ｒ）に収納された物品（ＷＬ，ＷＲ）と上段のトレー（Ｔ）の下壁（１２）との干渉を回避しながら複数のトレー（Ｔ）を段積み可能であることを特徴とする物品収納用トレー。
【請求項２】
前記物品収納凹部（１３Ｌ，１３Ｒ）が、第１の物品（ＷＬ）を収納する第１の物品収納凹部（１３Ｌ）と、第１の物品（ＷＬ）と対称形状の第２の物品（ＷＲ）を収納する第２の物品収納凹部（１３Ｒ）とを含むことを特徴とする、請求項１に記載の物品収納用トレー。
【請求項３】
前記第１の物品収納凹部（１３Ｌ）および前記第２の物品収納凹部（１３Ｒ）は、少なくとも一部が共通であることを特徴とする、請求項２に記載の物品収納用トレー。
【発明の詳細な説明】
【０００１】
【発明の属する技術分野】
本発明は、合成樹脂の薄板を断面凹凸形状に一体成形することで物品収納凹部を形成した物品収納用トレーに関する。
【０００２】
【従来の技術】
例えば車両に組み付ける物品を一纏めにしてトレーに収納しておくと、その保管、運搬、組付等における利便性が向上する。かかる用途のトレーとして、合成樹脂の薄板を断面凹凸形状に一体成形し、そこに複数の物品をそれぞれ支持する複数の物品収納凹部を形成したものが知られている。このトレーによれ、不使用時に相互に嵌合するように積み重ねることで高さ方向の寸法をコンパクト化して取り扱いを容易にすることができる。
【０００３】
【発明が解決しようとする課題】
ところで上記従来のトレーは、物品収納凹部に物品を収納した状態で段積みしようとすると、下段のトレーに収納した物品に上段のトレーの重量が加わってしまい、多数段に段積みした場合に下方段の物品に大きな重量が加わる問題があり、しかも下段のトレーに対して上段のトレーを安定した姿勢で支持することができないため、段積み状態が不安定になって崩れ易いという問題があった。
【０００４】
そこで従来は、物品収納凹部に物品を収納したトレーを段積みする際に、それらの間に平坦な仕切り板を挟んで段積みしており、そのために作業の手間や仕切り板のコストが嵩むという問題があった。
【０００５】
本発明は前述の事情に鑑みてなされたもので、不使用時にコンパクトに積み重ねることができ、使用時に物品を収納した状態では、特別の仕切り板を必要とせずに、物品を荷重から保護しながら安定した段積みを可能にするトレーを提供することを目的とする。
【０００６】
【課題を解決するための手段】
上記目的を達成するために、請求項１に記載された発明によれば、合成樹脂の薄板を断面凹凸形状に一体成形したトレーが、物品を収納する物品収納凹部と、物品収納凹部が開口する上壁と、少なくとも一部が物品収納凹部の底面を構成する下壁と、下壁よりも一段高く形成された支持段部とを備えた物品収納用トレーであって、物品収納凹部に物品を収納しない状態で複数のトレーを同一姿勢で積み重ねると、上段のトレーの物品収納凹部が下段のトレーの物品収納凹部に嵌合して複数のトレーをコンパクトに段積み可能であり、物品収納凹部に物品を収納した状態で複数のトレーを上下軸まわりに交互に所定角度ずつ回転した姿勢で積み重ねると、上段のトレーの支持段部が下段のトレーの上壁に支持されて、物品収納凹部に収納された物品と上段のトレーの下壁との干渉を回避しながら複数のトレーを段積み可能であることを特徴とする物品収納用トレーが提案される。
【０００７】
上記構成によれば、合成樹脂の薄板を断面凹凸形状に一体成形したトレーに物品収納凹部と、上壁と、下壁と、支持段部とを設けたので、物品収納凹部に物品を収納しない状態で複数のトレーを同一姿勢で積み重ねると、上段のトレーの物品収納凹部が下段のトレーの物品収納凹部に嵌合することで、複数のトレーをコンパクトに段積みして不使用時のトレーの取り扱いを容易にすることができる。また物品収納凹部に物品を収納した状態で複数のトレーを上下軸まわりに交互に所定角度ずつ回転した姿勢で積み重ねると、上段のトレーの支持段部が下段のトレーの上壁に支持されることで、特別の仕切り板を必要とせずに、物品収納凹部に収納された物品と上段のトレーの下壁との干渉を回避しながら複数のトレーを段積みすることができる。しかも支持段部が下壁よりも一段高くなっているので、その支持段部を上壁に支持することで積み重ねられたトレーどうしを相互に位置決めして段積み状態を安定させることができる。
【０００８】
また請求項２に記載された発明によれば、請求項１の構成に加えて、前記物品収納凹部が、第１の物品を収納する第１の物品収納凹部と、第１の物品と対称形状の第２の物品を収納する第２の物品収納凹部とを含むことを特徴とする物品収納用トレーが提案される。
【０００９】
上記構成によれば、物品収納凹部が、相互に対称な形状の第１、第２の物品をそれぞれ収納する第１、第２の物品収納凹部を含むので、共通のトレーに２種類の物品を収納可能にして汎用性を高めることができる。
【００１０】
また請求項３に記載された発明によれば、請求項２の構成に加えて、前記第１の物品収納凹部および前記第２の物品収納凹部は、少なくとも一部が共通であることを特徴とする物品収納用トレーが提案される。
【００１１】
上記構成によれば、第１、第２物品収納凹部の少なくとも一部が共通であるため、トレーの寸法を有効に利用して大型の物品を収納することができる。
【００１２】
【発明の実施の形態】
以下、本発明の実施の形態を、添付図面に示した本発明の実施例に基づいて説明する。
【００１３】
図１〜図７は本発明の一実施例を示すもので、図１はトレーの上面図、図２は図１の２Ａ−２Ａ線〜２Ｅ−２Ｅ線断面図、図３は２枚のトレーを同一姿勢で積み重ねた状態を示す、図２（Ｂ）に対応する断面図、図４は２枚のトレーを１８０°反転姿勢で積み重ねた状態を示す上面図、図５は図４の５Ａ−５Ａ線〜５Ｃ−５Ｃ線断面図、図６はトレーに第１の物品を２個収納した状態を示す図、図７はトレーに第２の物品を２個収納した状態を示す図である。
【００１４】
図１および図２に示すように、例えばポリプロピレンのような合成樹脂の薄板を断面凹凸形状に一体成形したトレーＴは四隅を丸めた概略長方形状をなしている。トレーＴは、その長手方向に直交する中心線Ｌ１に対して対称な形状であるが、長手方向に平行な中心線Ｌ２に対して非対称な形状である。
【００１５】
トレーＴは最も高い位置にある平坦な上壁１１と、最も低い位置にある平坦な下壁１２とを備えており、上壁１１に開口して下壁１２の一部を底面とする４個の物品収納凹部１３Ｌ，１３Ｌ；１３Ｒ，１３Ｒが形成される。図６から明らかなように、トレーＴには第１の物品収納凹部１３Ｌ，１３Ｌが２個形成されており、各々の第１の物品収納凹部１３Ｌに第１の物品ＷＬ（例えば、自動車の左側のクオータシール）が収納される。また図７から明らかなように、トレーＴには第２の物品収納凹部１３Ｒ，１３Ｒが２個形成されており、各々の第２の物品収納凹部１３Ｒに第２の物品ＷＲ（例えば、自動車の右側のクオータシール）が収納される。第１の物品ＷＬおよび第２の物品ＷＲは相互に対称な形状を有しており、第１、第２の物品ＷＬ，ＷＲを共通のトレーＴに収納可能にしたことで汎用性が向上する。また第１の物品収納凹部１３Ｌ，１３Ｌと第２の物品収納凹部１３Ｒ，１３Ｒとは一部が共通であり、これによりトレーＴの寸法を有効に利用して大型の物品ＷＬ，ＷＬ；ＷＲ，ＷＲを収納することができる。
【００１６】
図６および図７から明らかなように、２個の第１の物品収納凹部１３Ｌ，１３Ｌは上下軸Ｌ３に対して１８０°回転対称に配置され、２個の第２の物品収納凹部１３Ｒ，１３Ｒは上下軸Ｌ３に対して１８０°回転対称に配置される。また第１の物品収納凹部１３Ｌ，１３Ｌと第２の物品収納凹部１３Ｒ，１３Ｒとは、中心線Ｌ１，Ｌ２の両方に対して線対称に配置される。
【００１７】
４個の物品収納凹部１３Ｌ，１３Ｌ；１３Ｒ，１３Ｒの内側の側壁には半円状あるいは三角形状の支持段部１４…が２２個突設される。また前記物品収納凹部１３Ｌ，１３Ｌ；１３Ｒ，１３Ｒの外側の側壁には半円状の支持段部１６…が１７個突設される。更に、トレーＴの外周を囲む周壁１５の内面に、台形状の支持段部１７…が１５個突設される。これら全ての支持段部１４…，１６…，１７…の頂面は同一平面上にあり、その高さは前記下壁１２の高さよりも一段高くなっている。
【００１８】
トレーＴの周壁１５や物品収納凹部１３Ｌ，１３Ｌ；１３Ｒ，１３Ｒの側壁は、成形型からトレーＴを離型するための抜き勾配を有している。
【００１９】
次に、上記形状を備えたトレーＴの使用方法を説明する。
【００２０】
使用しないトレーＴを保管する場合には、図３に示すように、トレーＴを同じ姿勢で所定個数を積み重ねれば良い。すべてのトレーＴは同一形状であり、かつ前記抜き勾配を有していることにより、その物品収納凹部１３Ｌ，１３Ｌ；１３Ｒ，１３Ｒを含む凹部どうしと凸部どうしとが嵌合して上下方向の寸法がコンパクトになり、保管スペースの削減に寄与することができる。尚、図３は、図２（Ｂ）の断面に対応しているが、他の断面位置でも同様に凹部どうしと凸部どうしとが嵌合する。
【００２１】
図６および図７に示すように、トレーＴに物品ＷＬ，ＷＬ；ＷＲ，ＷＲを収納する場合、第１の物品収納凹部１３Ｌ，１３Ｌに第１の物品ＷＬ，ＷＬを２個収納するか（図６参照）、第２の物品収納凹部１３Ｒ，１３Ｒに第２の物品ＷＲ，ＷＲを２個収納することができる（図７参照）。
【００２２】
図４および図５に示すように、例えばトレーＴに第１の物品ＷＬ，ＷＬを２個収納した状態で段積みして保管や運搬を行う場合には、複数のトレーＴを上下軸Ｌ３（図４参照）まわりに交互に１８０°反転した状態で積み重ねる。図４では、実線で示す上段のトレーＴが図１と同じ姿勢にあり、破線で示す下段のトレーＴが上下軸Ｌ３まわりに１８０°反転した状態にある。この状態では図４に黒塗りした部分で下段のトレーＴの上壁１１に上段のトレーＴの支持段部１４…，１６…，１７…が支持されるので、物品収納凹部１３Ｌ，１３Ｌ；１３Ｒ，１３Ｒの深さが一定に確保され、そこに収納した物品ＷＬ，ＷＬ；ＷＲ，ＷＲが上段のトレーＴの下壁１２によって押し潰されることがない。しかも、支持段部１４…，１６…，１７…はトレーＴの下壁１２から一段高くなっており、そこにトレーＴの上壁１１が嵌合して支持されるので、積み重ねた複数のトレーＴを相互に位置決めして段積み姿勢を安定させることができる。
【００２３】
以上のように、トレーＴの不使用時には、複数のトレーＴを同一姿勢で相互に深く嵌合させることにより、全体をコンパクトにして保管や運搬の際の取り扱いを容易にすることができる。また物品ＷＬ，ＷＬ；ＷＲ，ＷＲを収納したトレーＴを交互に１８０°反転して積み重ねることにより、特別の仕切り部材を必要とせずに、物品収納凹部１３Ｌ，１３Ｌ；１３Ｒ，１３Ｒの深さを一定に確保して物品ＷＬ，ＷＬ；ＷＲ，ＷＲに荷重が加わらない状態にしながら、複数のトレーＴを安定した状態で段積みすることができる。
【００２４】
以上、本発明の実施例を詳述したが、本発明はその要旨を逸脱しない範囲で種々の設計変更を行うことが可能である。
【００２５】
例えば、トレーＴの物品収納凹部１３Ｌ，１３Ｌ；１３Ｒ，１３Ｒの形状や数、支持段部１４…，１６…，１７…の形状や数は適宜変更可能である。
【００２６】
また実施例のトレーＴは概略長方形であって１８０°ずつ反転させて段積みしているが、概略正方形のトレーであれば９０°ずつ回転させて段積みすることができる。
【００２７】
また第１の物品ＷＬ，ＷＬを収納したトレーＴと、第２の物品ＷＲ，ＷＲを収納したトレーＴとを段積みすることも自由である。
【００２８】
【発明の効果】
以上のように請求項１に記載された発明によれば、合成樹脂の薄板を断面凹凸形状に一体成形したトレーに物品収納凹部と、上壁と、下壁と、支持段部とを設けたので、物品収納凹部に物品を収納しない状態で複数のトレーを同一姿勢で積み重ねると、上段のトレーの物品収納凹部が下段のトレーの物品収納凹部に嵌合することで、複数のトレーをコンパクトに段積みして不使用時のトレーの取り扱いを容易にすることができる。また物品収納凹部に物品を収納した状態で複数のトレーを上下軸まわりに交互に所定角度ずつ回転した姿勢で積み重ねると、上段のトレーの支持段部が下段のトレーの上壁に支持されることで、特別の仕切り板を必要とせずに、物品収納凹部に収納された物品と上段のトレーの下壁との干渉を回避しながら複数のトレーを段積みすることができる。しかも支持段部が下壁よりも一段高くなっているので、その支持段部を上壁に支持することで積み重ねられたトレーどうしを相互に位置決めして段積み状態を安定させることができる。
【００２９】
また請求項２に記載された発明によれば、物品収納凹部が、相互に対称な形状の第１、第２の物品をそれぞれ収納する第１、第２の物品収納凹部を含むので、共通のトレーに２種類の物品を収納可能にして汎用性を高めることができる。
【００３０】
また請求項３に記載された発明によれば、第１、第２物品収納凹部の少なくとも一部が共通であるため、トレーの寸法を有効に利用して大型の物品を収納することができる。
【図面の簡単な説明】
【図１】トレーの上面図
【図２】図１の２Ａ−２Ａ線〜２Ｅ−２Ｅ線断面図
【図３】２枚のトレーを同一姿勢で積み重ねた状態を示す、図２（Ｂ）に対応する断面図
【図４】２枚のトレーを１８０°反転姿勢で積み重ねた状態を示す上面図
【図５】図４の５Ａ−５Ａ線〜５Ｃ−５Ｃ線断面図
【図６】トレーに第１の物品を２個収納した状態を示す図
【図７】トレーに第２の物品を２個収納した状態を示す図
【符号の説明】
Ｔ          トレー
１１        上壁
１２        下壁
１３Ｌ      第１の物品収納凹部（物品収納凹部）
１３Ｒ      第２の物品収納凹部（物品収納凹部）
１４，１６，１７      支持段部
ＷＬ        第１の物品（物品）
ＷＲ        第２の物品（物品）
【図１】
2004168385.tif 000003
【図２】
2004168385.tif 000004
【図３】
2004168385.tif 000005
【図４】
2004168385.tif 000006
【図５】
2004168385.tif 000007
【図６】
2004168385.tif 000008
【図７】
2004168385.tif 000009